(57)【要約】【課題】  精神障害者（児）、知的障害者（児）、痴呆性老人が、利用する施設等の利用者で、押しボタン式火災報知機の機能が理解出来ない人があるため、不必要に押しボタン式火災報知機の押しボタンを押し発信してしまう。【解決手段】  精神障害者（児）、知的障害者（児）、痴呆性老人の利用する施設等では、職員が必ず間仕切り扉の開閉のため、鍵を持って作業しているので、常時携行している鍵を使用して、簡単迅速に発信出来るようにした。  鍵を持たない施設環境の場合は、常時全員が鍵を決定して携行することで、同じ効果が得られる。  また、何らかの手段でシャッター板を解放しようとした場合に備え、キーの挿入及びシヤッター板の解放を知らせるブザーを、設け無用の発信を、未然に防止するようにした。【選択図】  図１
2006024167.tif 000002
【特許請求の範囲】
【請求項１】
押しボタン式火災報知機の発信用押しボタンの前面に、シャッター板を設けロック爪で係止させ、押しボタン式火災報知機の押しボタンを、誤って操作して誤発信することを防止し、非常時には手持ちのキーやキー状の鉄板片で、簡単にシャッター板を解放して押しボタンを押し発信することが出来る。
精神障害者（児）施設、知的障害者（児）施設、痴呆性老人施設等で、行動に問題のある利用者用の諸施設で使用する、押しボタン式火災報知機の発信機。
【請求項２】
鍵押し当て部にベアリングを装着して、ピンや釘等での解錠を困難にし、他種類のキーで解錠出来る、ロック付き押しボタン式火災報知機の発信機。
【請求項３】
鍵挿入口部分を組み替え式にして、普段使用するキーに挿入口を調整出来る機能を設けた、鍵挿入口付きの押しボタン式火災報知機の発信機。
【請求項４】
鍵挿入口に物体挿入を検知するためのスイッチを設け、解錠可能な物体の挿入を検知して物体が挿入されたことを、警告発信する押しボタン式火災報知機の発信機。
【請求項５】
押しボタン前面に設けたシヤッターの、移動を検知するスイッチを設け、シヤッターが解放されたことを、警告発信する押しボタン式火災報知機の発信機。
【請求項６】
請求項１〜５の機能の、いずれかを備えた既設押しボタン式火災報知器の発信機に、取付出来る、既設押しボタン式火災報知機用カバー。
【発明の詳細な説明】
【発明の詳細な説明】
【技術分野】
【０００１】  本発明は押しボタン式火災報知機の、機能が理解困難な利用者が利用する諸施設で、故意に依らない誤発信を防止し、火災等発生時には職員が手持ちのキー等を使用して、簡単に押しボタン式火災報知機の押しボタン用開口部を解放して、発信することは出来るが、施設利用者が施設の内外で入手したピンや釘類では、解放が困難に成るよう鍵当たり部にはベアリングを装着し無用の解放を困難にし、類以したキー等物体で、ボタン用開口部を解放しようとして、キー挿入口へ挿入した時は、挿入口部の検知スイッチが検知して警報を発し、また押しボタン前のシヤッターが解放した時も、警報を発することで誤発信を防止し、職員等が手持ちのキー等で簡単にボタン用開口部前の、シャッター板を解放して発信が出来ることを、特徴とする押しボタン式火災報知機の、発信機である。
【背景技術】
【０００２】  精神障害者（児）施設、知的障害者（児）施設、痴呆性老人施設等で、行動に障害のある方々が利用する多数の施設の設備は、障害のある人たちの障害特性等を考慮されておらず、これら施設の押しボタン式火災報知機は、一般と同じような構造、設備になっている。
【発明が解決しようとする課題】
【０００３】  利用者が誤発報を繰り返すために、受信機側で回路を遮断して作動しないようにしなければならない施設もあるため、出来るだけ誤発報が出来なくて簡易に発信を可能にする。
常に誤発報を繰り返すと、警報設備への信頼が低下し、本当の火災等の起きた際の警報への信頼が低いために、迅速な行動が取れなく成なり、避難行動の遅れが発生するなど、防災上悪影響を及ぼすため、最大限誤発報を、無くすことを可能にする。
行動に障害ある方々が利用する施設では、施設利用者の中には、押しボタン式火災報知機の機能が理解困難なために、故意に依らずボタンを押してしまい、通報が消防署等へ直接に入るため、誤発報を無くし、誤発報による各機関の経費の負担を、軽減する。
また、誤発報した施設では、施設内全域を火災等が発生していないか、点検、確認しなければならないため、誤発報が発生すると施設の経済的損失は、多大で当装置の使用で軽減出来る。
【課題を解決するための手段】
【０００４】  精神障害者（児）施設、知的障害者（児）施設、痴呆性老人施設等では、間仕切り扉の施解錠のため、職員の全員が勤務中は、鍵を必ず携行しなければ行動出来ないので、鍵を常時携行しているため、その手持ちのキーを使用して簡単に、押しボタン前面のシヤッター板を解放して押して、押しボタンを押し発信することが、出来るようにした。
簡易な施錠であるため、鍵挿入口には挿入検知スイッチを取付け、無用にキーの挿入部に何らかの物体を挿入された時は、検知スイッチが挿入を検知して警報を発し、また、押しボタン前のシヤッター板の上部には、シヤッター板の下降、押しボタン用開口の解放を検知するマイクロスイッチを取付け、下降、解放をはじめた時点で、警報を発して無用の発信を未然に防ぎ、誤発信につながらないようにした。
後取付式のため、既設の押しボタン式火災報知機の発信機に取り付けて使用出来き、基本的な工事を必要としないため、安価で提供することを目的とする。
【発明の効果】
【０００５】  誤発報を無くすことにより、発報の際の信頼度が高まり、迅速かつ正確な避難行動がとれるので、防災上の安全性が向上する。
誤発報による、消防署等関係機関の不要な作業が減少し、経済的効果がある。
施設等で誤発報が発生すると、事後の点検、安全確認のため後処理作業が必要とされるため、誤発報が無くなれば、大きな経済的効果がある。
特に誤発報が多発するため、回線を遮断しなければならない施設等では、飛躍的に防災上の安全確保が、正常化出来る。
【発明を実施するための最良の形態】
【０００６】  図１は本発明の正面図、図２は同、側面図であり、前ケース１の下部に設けられたシヤッター板復帰用穴１０より、復帰用金具１４を挿入し復帰金具支持溝１１を押し上げ、ロック爪係止部５ａにシヤッター板係止部４ａを係止させ、使用する。【０００７】  発信する時は、キー挿入口７にキー状鉄板片８または手持ちのキーを挿入して、ベアリング装着鍵当たり部５ｃを押し、爪支点ボス５ｂに軸支されたロック爪５を回転させると、ロック爪係止部５ａに係止しているシヤッター板係止部４ａが外れ、シヤッター板４はシヤッター解放用スプリング９に引かれて、シヤツター板ガイド枠２とシヤッター板ガイド板３に沿って下方向に移動し、押しボタン用開口１３が解放され、発信用押しボタンが使用出来る状態になり、同時にマイクロスイッチ１２ｃが押しボタン用開口１３が解放したことを検知して、ブザー１２ａが鳴り、押しボタン用開口１３の解放を知らせる。【０００８】  解放された押しボタン用開口１３は、前ケース１下部のシヤッター板復帰用穴１０よりシヤッター復帰用金具１４を挿入し、シャッター板４の下部に設けられた復帰金具支持溝１１にシヤッター復帰用金具１４の先端部をあてがい、上方に押し上げ、シヤッター板係止部４ａがロック爪係止部５ａに係止するまで、押し上げる。【０００９】  無用な発信を防止するため、キー挿入口７には挿入検知スイッチ１２を取付け、無用にキー挿入口に何らかの物体を挿入した時は、挿入を検知してブザー１２ａで警報を発し、シヤッター板４が解放された場合は、シャッター板ガイド枠２上部のマイクロスイッチ１２ｃが、押しボタン用開口１３の解放を検知してブザー１２ａが鳴り、解放したことを知らせることで、誤発信を防止する。【００１０】  図３は、シヤッター板４とロック爪５の、作動位相関係を示す説明図であり、
「ステップ１」
シヤッター板４のシヤッター板係止部４ａが、前ケース１に取付けられた爪支点ボス５ｂに回転自在に取り付けられたロック爪５が、ロック爪スプリング６に押されロック爪係止部５ａで係止された、シヤッター板４があるため、火災報知機の押しボタンスイッチは押せない。
「ステップ２」
火災等の発生で、押しボタン式火災報知機を使用するときは、キー挿入口７にキー状鉄板片８または手持ちのキーを挿入し、ベアリング装着キー当たり部５ｃを押して、爪支点ボス５ｂに回転自在に取り付けられたロック爪５を移動させると、ロック爪係止部５ａに係止しているシヤッター板係止部４ａが外れ、シヤッター板４は自在になり下降をはじめる、同時にベアリング装着キー当たり部５ｃが挿入検知スイッチ１２を押し、キー挿入口７に物体が挿入されたことを検知し、ブザー１２ａが鳴り、挿入を知らせる。
「ステップ３」
シヤッター板４は、シヤッター板スプリングボス４ｂとガイド板固定スプリングボス３ａに架けられた、シヤッター解放用スプリング９に引かれ、下方へ移動する。
同時に、シャッター板ガイド枠２上部に取り付けたマイクロスイッチ１２ｃが、押しボタン用開口１３の解放を検知して、ブザー１２ａが鳴り、解放したことを知らせる。
「ステップ４」
シヤッター板４が最下部に降下し、押しボタン開口部が全開になり押しボタンが、使用可能になる。
「ステップ５」
発信通報の後の復旧は、前ケース１下部に設けられた、シャッター板復帰用穴１０にシヤッター復帰用金具１４を挿入し、シヤッター板４の下部に設けた復帰金具支持溝１１に、シヤッター復帰用金具１４の先端部をあてがい、シヤッター板４を、上方へ押し上げる。
「ステップ６」
シヤッター板４の上部に設けた、シヤッター板係止部４ａがロック爪係止部５ａを押し移動すると、同時にシャッター板ガイド枠２上部に取り付けたマイクロスイッチ１２ｃが、シヤッター板４の復帰を検知して、ブザー１２ｂは鳴り止む。
「ステップ７」
シヤッター板４を上限まで押し上げると、ロック爪係止部５ａがロック爪スプリング６に押され、シヤッター板４上部に設けられたシヤッター板係止部４ａに係止してシヤッター板４は、下降出来なくなる。【００１１】  図４は調整式キー挿入口７ａの仕組み図であり
下板３１の上に、使用するキーに適合する厚さの、調整中板上３２ａ及び調整中板下３２ｂを、使用するキーの巾に合わせ位置を決め、上板３３をその上に重ねビスで固定する、既設のキーを使用してシヤッター板４を解放させるため、どのようなキーにも対応するための手段である。
【図面の簡単な説明】
【図１】  本発明装置の正面図
【図２】  同、側面図
【図３】  本発明に係るシヤッターとロック爪の作動位相関係を示す説明図
【図４】  本発明に係る調整式キー挿入口の仕組み図
【符号の説明】
１  前ケース    ２  シャッター板ガイド枠    ３  シヤッター板ガイド板
３ａ  ガイド板固定スプリングボス    ４  シヤッター板    ４ａ  シヤッター板係止部
４ｂ  シヤッター板スプリングボス    ５  ロック爪    ５ａ  ロック爪係止部
５ｂ  爪支点ボス    ５ｃ  ベアリング装着キー当たり部    ６  ロック爪スプリング
７  キー挿入口    ７ａ  調整式キー挿入口    ８  キー状鉄板片、使用するキー
９  シヤッター解放用スプリング    １０  シャッター板復帰用穴
１１  復帰金具支持溝    １２  マイクロスイッチ    １２ａ乾電池    １２ｂブザー
１２ｃ  挿入検知スイッチ    １３  押しボタン用開口    １４  シヤッター復帰用金具
２１  既設押しボタン式火災報知機    ２２  既設押しボタン
３１  下板    ３２ａ  調整中板上    ３２ｂ調整中板下    ３３  上板
【図１】
2006024167.tif 000003
【図２】
2006024167.tif 000004
【図３】
2006024167.tif 000005
【図４】
2006024167.tif 000006